(57)【特許請求の範囲】
【請求項１】
外部装置と非接触通信可能な非接触ＩＣカードを用いて、複数のサービスに関する電子バリューを利用する電子財布装置であって：
前記複数のサービスにそれぞれ対応する複数の非接触ＩＣカードを収納する収納部と；
前記外部装置と非接触通信を行うための外部通信用アンテナと；
前記収納部に収納された前記複数の非接触ＩＣカードと非接触通信を行うためのカード通信用アンテナと；
電子バリューを記憶可能なバリュー記憶部と；
前記外部装置から前記外部通信用アンテナを介して前記サービスに関する取引要求を受信し、前記取引要求に応じて、前記カード通信用アンテナを介して前記バリュー記憶部と前記複数の非接触ＩＣカードのうち少なくともいずれかとの間で電子バリューを移動させる制御部と；
を備え、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記制御部は、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、前記バリュー記憶部に記憶されている電子バリューを、前記選択された非接触ＩＣカードに移動させ、前記選択された非接触ＩＣカードから前記外部装置に対して前記所定額の電子バリューを支払うよう制御する、電子財布装置。
【請求項２】
外部装置と非接触通信可能な非接触ＩＣカードを用いて、複数のサービスに関する電子バリューを利用する電子財布装置であって：
前記複数のサービスにそれぞれ対応する複数の非接触ＩＣカードを収納する収納部と；
前記外部装置と非接触通信を行うための外部通信用アンテナと；
前記収納部に収納された前記複数の非接触ＩＣカードと非接触通信を行うためのカード通信用アンテナと；
電子バリューを記憶可能なバリュー記憶部と；
前記外部装置から前記外部通信用アンテナを介して前記サービスに関する取引要求を受信し、前記取引要求に応じて、前記カード通信用アンテナを介して前記バリュー記憶部と前記複数の非接触ＩＣカードのうち少なくともいずれかとの間で電子バリューを移動させる制御部と；
を備え、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記制御部は、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、他の非接触ＩＣカードに記憶されている電子バリューを、前記バリュー記憶部を介して、前記選択された非接触ＩＣカードに移動させ、前記選択された非接触ＩＣカードから前記外部装置に対して前記所定額の電子バリューを支払うよう制御する、電子財布装置。
【請求項３】
前記制御部は、前記複数の非接触ＩＣカードに記憶されている電子バリューを、前記バリュー記憶部に移動させて、前記複数のサービスで共通の電子バリューとして合算する、請求項１又は２に記載の電子財布装置。
【請求項４】
外部装置と非接触通信可能であって複数のサービスにそれぞれ対応する複数の非接触ＩＣカードを収納する収納部と、前記外部装置と非接触通信を行うための外部通信用アンテナと、前記収納部に収納された前記複数の非接触ＩＣカードと非接触通信を行うためのカード通信用アンテナと、電子バリューを記憶可能なバリュー記憶部とを備えた電子財布装置において、所定のサービスに関する電子バリューを利用する電子バリュー利用方法であって：
前記外部装置から前記外部通信用アンテナを介して前記サービスに関する取引要求を受信するステップと；
前記取引要求に応じて、前記カード通信用アンテナを介して前記バリュー記憶部と前記複数の非接触ＩＣカードのうち少なくともいずれかとの間で電子バリューを移動させるステップと；
を含み、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、前記バリュー記憶部に記憶されている電子バリューを、前記選択された非接触ＩＣカードに移動させ、前記選択された非接触ＩＣカードから前記外部装置に対して前記所定額の電子バリューを支払うよう制御する、電子バリュー利用方法。
【請求項５】
外部装置と非接触通信可能であって複数のサービスにそれぞれ対応する複数の非接触ＩＣカードを収納する収納部と、前記外部装置と非接触通信を行うための外部通信用アンテナと、前記収納部に収納された前記複数の非接触ＩＣカードと非接触通信を行うためのカード通信用アンテナと、電子バリューを記憶可能なバリュー記憶部とを備えた電子財布装置において、所定のサービスに関する電子バリューを利用する電子バリュー利用方法であって：
前記外部装置から前記外部通信用アンテナを介して前記サービスに関する取引要求を受信するステップと；
前記取引要求に応じて、前記カード通信用アンテナを介して前記バリュー記憶部と前記複数の非接触ＩＣカードのうち少なくともいずれかとの間で電子バリューを移動させるステップと；
を含み、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、他の非接触ＩＣカードに記憶されている電子バリューを、前記バリュー記憶部を介して、前記選択された非接触ＩＣカードに移動させ、前記選択された非接触ＩＣカードから前記外部装置に対して前記所定額の電子バリューを支払うよう制御する、電子バリュー利用方法。
【請求項６】
外部装置と非接触通信可能であって複数のサービスにそれぞれ対応する複数の非接触ＩＣカードを収納する収納部と、前記外部装置と非接触通信を行うための外部通信用アンテナと、前記収納部に収納された前記複数の非接触ＩＣカードと非接触通信を行うためのカード通信用アンテナと、所定のサービスに関する電子バリューを記憶可能なバリュー記憶部とを備えた電子財布装置のコンピュータに：
前記外部装置から前記外部通信用アンテナを介して前記サービスに関する取引要求を受信するステップと；
前記取引要求に応じて、前記カード通信用アンテナを介して前記バリュー記憶部と前記複数の非接触ＩＣカードのうち少なくともいずれかとの間で電子バリューを移動させるステップと；
を実行させるためのプログラムであって、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、前記バリュー記憶部に記憶されている電子バリューを、前記選択された非接触ＩＣカードに移動させ、前記選択された非接触ＩＣカードから前記外部装置に対して前記所定額の電子バリューを支払うよう制御する、プログラム。
【請求項７】
外部装置と非接触通信可能であって複数のサービスにそれぞれ対応する複数の非接触ＩＣカードを収納する収納部と、前記外部装置と非接触通信を行うための外部通信用アンテナと、前記収納部に収納された前記複数の非接触ＩＣカードと非接触通信を行うためのカード通信用アンテナと、所定のサービスに関する電子バリューを記憶可能なバリュー記憶部とを備えた電子財布装置のコンピュータに：
前記外部装置から前記外部通信用アンテナを介して前記サービスに関する取引要求を受信するステップと；
前記取引要求に応じて、前記カード通信用アンテナを介して前記バリュー記憶部と前記複数の非接触ＩＣカードのうち少なくともいずれかとの間で電子バリューを移動させるステップと；
を実行させるためのプログラムであって、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、他の非接触ＩＣカードに記憶されている電子バリューを、前記バリュー記憶部を介して、前記選択された非接触ＩＣカードに移動させ、前記選択された非接触ＩＣカードから前記外部装置に対して前記所定額の電子バリューを支払うよう制御する、プログラム。
【発明の詳細な説明】
【技術分野】
【０００１】
本発明は、電子財布装置、電子バリュー利用方法及びプログラムに関する。
【背景技術】
【０００２】
近年、アンテナコイルとＩＣチップとを内蔵した非接触ＩＣカードを用いたサービスが、日常社会において急速に普及してきている。この非接触ＩＣカードは、財布やＩＣカードホルダー等に入れたままの状態であっても、ホスト装置のリーダライタにかざすだけで、データ通信可能であるので、利便性が高い。このため、かかる非接触ＩＣカードは、例えば、電子マネーサービス、交通機関の改札サービスなど、種々のサービスを提供するＩＣカードシステムに応用されている。
【０００３】
このうち、電子マネーサービスだけに関しても、多様な種類のサービスが提供されており、それぞれの電子マネーサービスに対応した非接触ＩＣカード（以下「電子マネーカード」）の種類も多岐に渡る。このため、ユーザは、相異なる電子マネーサービスを利用する場合、それぞれのサービスに対応した複数枚の電子マネーカードを所持する必要がある。また、非接触ＩＣカードのマルチアプリケーション化により、ユーザが、電子マネー機能を有する非接触ＩＣカードを複数枚所持するケースも多くなってきている。
【０００４】
このような事情から、ユーザが複数枚の非接触ＩＣカードを携帯するケースが増大している。この際、ユーザは、財布やバック、ＩＣカードホルダー等を用いて、複数枚の非接触ＩＣカードをまとめて携帯することが一般的である。ところが、このようにまとめて携帯された複数枚の非接触ＩＣカードを同時にリーダライタにかざすと、複数枚の非接触ＩＣカードがリーダライタの通信範囲内（リーダライタの発する電磁波の有効範囲内）に存在することとなる。この場合、複数枚の非接触ＩＣカードのアンテナコイルが互いに磁気結合してしまい、本来の共振周波数から大幅にずれ、いずれの非接触ＩＣカードも通信できなくなるという問題がある。かかる問題を解決する手法として、例えば特許文献１には、２枚の非接触ＩＣカード間に干渉防止体を配置したＩＣカードホルダーが提案されている。
【０００５】
【特許文献１】特開２００５−１１０４４号公報
【発明の開示】
【発明が解決しようとする課題】
【０００６】
ところで、ユーザが複数枚の電子マネーカードを所持し、例えばプリペイド方式の電子マネーについて複数の電子マネーサービスを利用する場合、電子マネーのバリューはそれぞれの電子マネーカードに分散される。このため、従来の電子マネーシステムでは、電子マネーにより商品等の購入代金を支払うときに、複数枚の電子マネーカード全体でのバリュー（残額）は足りていても、単独の電子マネーカードではバリューが足りないため、電子マネーを使用できないといった問題がある。また、かかる問題以外にも、ユーザは、複数の電子マネーサービスについて電子マネーカードのバリューを管理することが面倒である、などの様々な問題を抱えている。
【０００７】
そこで、本発明は、上記問題に鑑みてなされたものであり、本発明の目的とするところは、複数の非接触ＩＣカードに記憶されている電子バリューを一括管理して、電子バリューの使用時等に柔軟に対処することが可能な、新規かつ改良された電子財布装置、電子バリュー利用方法及びプログラムを提供することにある。
【課題を解決するための手段】
【０００８】
上記課題を解決するために、本発明のある観点によれば、
外部装置と非接触通信可能な非接触ＩＣカードを用いて、複数のサービスに関する電子バリューを利用する電子財布装置であって：
前記複数のサービスにそれぞれ対応する複数の非接触ＩＣカードを収納する収納部と；
前記外部装置と非接触通信を行うための外部通信用アンテナと；
前記収納部に収納された前記複数の非接触ＩＣカードと非接触通信を行うためのカード通信用アンテナと；
電子バリューを記憶可能なバリュー記憶部と；
前記外部装置から前記外部通信用アンテナを介して前記サービスに関する取引要求を受信し、前記取引要求に応じて、前記カード通信用アンテナを介して前記バリュー記憶部と前記複数の非接触ＩＣカードのうち少なくともいずれかとの間で電子バリューを移動させる制御部と；
を備え、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記制御部は、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、前記バリュー記憶部に記憶されている電子バリューを、前記選択された非接触ＩＣカードに移動させ、前記選択された非接触ＩＣカードから前記外部装置に対して前記所定額の電子バリューを支払うよう制御する、電子財布装置が提供される。
また、前記制御部は、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、他の非接触ＩＣカードに記憶されている電子バリューを、前記バリュー記憶部を介して、前記選択された非接触ＩＣカードに移動させ、前記選択された非接触ＩＣカードから前記外部装置に対して前記所定額の電子バリューを支払うよう制御する、電子財布装置が提供される。
【０００９】
かかる構成により、電子財布装置の内部に、各非接触ＩＣカードで電子バリューを使用するためのキャッシュとして機能するバリュー記憶部を設けることができる。このため、電子財布装置と外部装置との間で、所定のサービスに関する電子バリューの取引を行う際に、電子財布装置は、外部装置からの取引要求に応じて、バリュー記憶部と非接触ＩＣカードとの間で電子バリューを移動させることができる。これにより、バリュー記憶部に記憶されている電子バリューを、当該電子バリューを使用する非接触ＩＣカード１に移動させたり、ある非接触ＩＣカード１に記憶されている電子バリューを、バリュー記憶部を介して他の非接触ＩＣカードに移動させたりことができる。このため、複数の非接触ＩＣカードに記憶されている電子バリューを一括管理して使用できるので、電子バリューの使用時に柔軟に対処できる。
【００１０】
また、前記各非接触ＩＣカードに記憶される電子バリューは、当該各非接触ＩＣカードが対応するサービスに固有の電子バリューであり、前記バリュー記憶部に記憶される電子バリューは、複数のサービスで共通の電子バリューであるようにしてもよい。これにより、バリュー記憶部が記憶する共通の電子バリューを、任意サービスに対応する非接触ＩＣカードに移動させて、当該非接触ＩＣカードが対応するサービスで固有の電子バリューとして使用できる。また、同種のサービスに対応する非接触ＩＣカード間のみならず、異種のサービスに対応する非接触ＩＣカード間でも、バリュー記憶部を介して電子バリューをやり取りできる。よって、複数の非接触ＩＣカードのユーザの利便性が格段に向上する。
【００１１】
また、前記制御部は、前記複数の非接触ＩＣカードに記憶されている電子バリューを、前記バリュー記憶部に移動させて、前記複数のサービスで共通の電子バリューとして合算するようにしてもよい。これにより、同種又は異種のサービスに対応する複数の非接触ＩＣカードに記憶された電子バリューを、バリュー記憶部に合算し、任意のサービスの電子バリューとして使用できる。
【００１２】
また、前記制御部は、前記外部装置から前記外部通信用アンテナを介して所定額の電子バリューの支払要求を受信し、前記支払要求に応じて、前記バリュー記憶部から、前記複数の非接触ＩＣカードのうちから選択された非接触ＩＣカードに電子バリューを移動させ、前記選択された非接触ＩＣカードから前記外部装置に対して前記所定額の電子バリューを支払うよう制御するようにしてもよい。これにより、電子財布装置は、外部装置からの支払要求に応じて、バリュー記憶部と非接触ＩＣカードとの間で電子バリューを移動させることができる。このため、支払要求額に応じて、バリュー記憶部に記憶されている電子バリューを、当該電子バリューを支払い可能な非接触ＩＣカードに移動させて、当該非接触ＩＣカードから外部装置に所定額の電子バリューを支払うことができ、電子バリューの支払い時に柔軟に対処できる。
【００１３】
また、前記制御部は、前記選択された非接触ＩＣカードに記憶されている電子バリューが前記所定額以上である否かを判定し、前記所定額未満である場合には、前記バリュー記憶部に記憶されている電子バリューを、前記選択された非接触ＩＣカードに移動させるようにしてもよい。これにより、当該非接触ＩＣカードに電子バリューが不足しているか否かを判別し、不足している場合に、バリュー記憶部から当該非接触ＩＣカード１に電子バリューを移動させて、支払い可能となる。
【００１４】
また、前記制御部は、前記選択された非接触ＩＣカードに記憶されている電子バリューが前記所定額以上である否かを判定し、前記所定額未満である場合には、他の非接触ＩＣカードに記憶されている電子バリューを、前記バリュー記憶部を介して、前記選択された非接触ＩＣカードに移動させるようにしてもよい。これにより、当該非接触ＩＣカードに電子バリューが不足しているか否かを判別し、不足している場合に、他の非接触ＩＣカード１からバリュー記憶部を介して当該非接触ＩＣカード１に電子バリューを移動させて、支払い可能となる。
【００１５】
また、上記課題を解決するために、本発明の別の観点によれば、
外部装置と非接触通信可能であって複数のサービスにそれぞれ対応する複数の非接触ＩＣカードを収納する収納部と、前記外部装置と非接触通信を行うための外部通信用アンテナと、前記収納部に収納された前記複数の非接触ＩＣカードと非接触通信を行うためのカード通信用アンテナと、電子バリューを記憶可能なバリュー記憶部とを備えた電子財布装置において、所定のサービスに関する電子バリューを利用する電子バリュー利用方法であって：
前記外部装置から前記外部通信用アンテナを介して前記サービスに関する取引要求を受信するステップと；
前記取引要求に応じて、前記カード通信用アンテナを介して前記バリュー記憶部と前記複数の非接触ＩＣカードのうち少なくともいずれかとの間で電子バリューを移動させるステップと；
を含み、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、前記バリュー記憶部に記憶されている電子バリューを、前記選択された非接触ＩＣカードに移動させ、前記選択された非接触ＩＣカードから前記外部装置に対して前記所定額の電子バリューを支払うよう制御する、電子バリュー利用方法が提供される。
また、前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、他の非接触ＩＣカードに記憶されている電子バリューを、前記バリュー記憶部を介して、前記選択された非接触ＩＣカードに移動させ、前記選択された非接触ＩＣカードから前記外部装置に対して前記所定額の電子バリューを支払うよう制御する、電子バリュー利用方法が提供される。
【００１６】
また、上記課題を解決するために、本発明の別の観点によれば、外部装置と非接触通信可能であって複数のサービスにそれぞれ対応する複数の非接触ＩＣカードを収納する収納部と、前記外部装置と非接触通信を行うための外部通信用アンテナと、前記収納部に収納された前記複数の非接触ＩＣカードと非接触通信を行うためのカード通信用アンテナと、所定のサービスに関する電子バリューを記憶可能なバリュー記憶部とを備えた電子財布装置のコンピュータに：
前記外部装置から前記外部通信用アンテナを介して前記サービスに関する取引要求を受信するステップと；
前記取引要求に応じて、前記カード通信用アンテナを介して前記バリュー記憶部と前記複数の非接触ＩＣカードのうち少なくともいずれかとの間で電子バリューを移動させるステップと；
を実行させるためのプログラムであって、
前記各非接触ＩＣカードに記憶される電子バリューは、当該各非接触ＩＣカードが対応するサービスに固有の電子バリューであり、
前記バリュー記憶部に記憶される電子バリューは、前記複数のサービスで共通の電子バリューであり、
前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、前記バリュー記憶部に記憶されている電子バリューを、前記選択された非接触ＩＣカードに移動させ、前記選択された非接触ＩＣカードから前記外部装置に対して前記所定額の電子バリューを支払うよう制御する、プログラムが提供される。
また、前記移動させるステップでは、
前記外部装置から前記外部通信用アンテナを介して所定額の電子バリューの支払要求を受信し、前記支払要求に応じて、前記複数の非接触ＩＣカードのうちから選択された非接触ＩＣカードに記憶されている電子バリューが前記所定額以上である否かを判定し、前記所定額未満である場合には、他の非接触ＩＣカードに記憶されている電子バリューを、前記バリュー記憶部を介して、前記選択された非接触ＩＣカードに移動させ、前記選択された非接触ＩＣカードから前記外部装置に対して前記所定額の電子バリューを支払うよう制御する、プログラムが提供される。
【発明の効果】
【００１７】
以上説明したように本発明によれば、複数の非接触ＩＣカードに記憶されている電子バリューを一括管理して、電子バリューの使用時等に柔軟に対処することができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
まず、図１を参照して、本発明の第１の実施形態にかかる電子財布装置の外観について説明する。図１は、本実施形態にかかる電子財布装置１０の外観構成を示す斜視図である。
【００２０】
図１に示すように、本実施形態にかかる電子財布装置１０は、ユーザが衣服のポケット又はバッグ等に入れて携帯可能な大きさの電子機器である。この電子財布装置１０は、複数の非接触ＩＣカード１Ａ、１Ｂ、１Ｃ（以下「非接触ＩＣカード１」と総称する場合もある。）を収納可能な収納ケースとして機能する。ユーザは、かかる電子財布装置１０に複数枚の非接触ＩＣカード１を収納することで、当該複数枚の非接触ＩＣカード１をまとめて携帯することができる。
【００２１】
電子財布装置１０は、例えば略直方体形状の筐体１０１と、複数の非接触ＩＣカード１を着脱可能に収納する収納部１０２と、ユーザ入力インターフェースとしての操作部１０３と、非接触ＩＣカード１を利用したサービスに関連する各種情報を表示する表示部１０４と、を備える。
【００２２】
収納部１０２は、例えば、筐体１０１の一側面に、相互に平行に並設された複数のスロット１０２Ａ、１０２Ｂ、１０２Ｃからなる。かかるスロット１０２Ａ〜Ｃに対して非接触ＩＣカード１Ａ〜Ｃを挿抜することで、電子財布装置１０内に非接触ＩＣカード１を着脱自在に内蔵できる。
【００２３】
なお、図１の例の電子財布装置１０では、３枚の非接触ＩＣカード１Ａ〜Ｃを収納できるように３つのスロット１０２Ａ〜Ｃを備えているが、かかる例に限定されない。例えば、電子財布装置１０が収納可能な非接触ＩＣカード１の枚数は、２枚又は４枚以上であってもよい。また、対象とする全ての非接触ＩＣカード１が同一の形状を有する場合には、全てのスロット１０２Ａ〜Ｃを同一形状とすることができる。しかし、多様な形状、大きさの非接触ＩＣカード１に対応するために、相異なる形状のスロット１０２Ａ〜Ｃを設けてもよい。
【００２４】
ここで、本実施形態にかかる非接触ＩＣカード１について詳細に説明する。非接触ＩＣカード１は、薄型のカード外装内に、ホスト装置のリーダライタ（Ｒｅａｄｅｒ  Ｗｒｉｔｅｒ：データ読書装置）と非接触通信するためのアンテナと、所定の演算処理を実行可能なＩＣが搭載されたＩＣチップとを備えている（図３参照。）。これにより、非接触ＩＣカード１は、ホスト装置のリーダライタと非接触方式で無線通信可能である。従って、非接触ＩＣカード１を、リーダライタが発する電磁波の有効範囲内に位置づけるだけで（即ち、非接触ＩＣカード１をリーダライタにかざすだけで）、非接触ＩＣカード１内のデータを読み書きすることができる。よって、非接触ＩＣカード１は、リーダライタに対して抜き差しする必要がないため使い易く、迅速にデータを送受信でき、改造・変造しにくいため安全性が高く、データを書き換えることでカード自体を何度も再利用可能であるといった利点があり、ユーザにとって利便性が高い。
【００２５】
かかる利便性により、非接触ＩＣカード１は、各種のサービスを提供するＩＣカードシステムに適用されている。例えば、非接触ＩＣカード１は、電子マネーシステム、交通機関の改札システム、高速道路の料金徴収システム、電子決済システム、建造物への入館・入室用やパーソナルコンピュータ（ＰＣ）のログイン用等のセキュリティシステムなどに適用される。このように非接触ＩＣカード１は、例えば、次の各種の用途（１）〜（６）に適用される。
【００２６】
（１）電子マネーの貨幣データを記憶した電子マネーカード
（２）電車、バス、高速道路等の交通機関の定期券又は指定券、プリペイド式の運賃のデータなどを記憶した交通機関カード
（３）身分確認や、出退勤の管理、建造物への入退出時の鍵として使用される社員証、学生証等の身分証として用いられる個人認証用カード
（４）各種の店舗や施設の会員証、ポイントカード、クーポンカード
（５）映画館、コンサート会場、スポーツ競技場、アミューズメント施設等の電子チケットデータを記憶した電子チケットカード、
（６）インターネット上でのショッピングや、動画・音楽コンテンツの配信、有価証券・預金等の金融商品の売買などといった電子商取引に用いる電子決済カード
【００２７】
また、１枚の非接触ＩＣカード１でこれら複数の機能を併せ持ったマルチアプリケーションタイプのカードも開発されており、非接触ＩＣカード１の種類は益々多様化している。
【００２８】
本実施形態では、これらの非接触ＩＣカード１のうち、電子マネーカード、交通機関カード、電子チケットカード、電子決済カードなどの、サービスデータとして電子バリューを記憶可能なカードを対象としている。この電子バリューは、貨幣又は貨幣に準じた価値を有するデータであり、例えば、プリペイド方式の電子マネー、プリペイド方式の乗車運賃、店舗等で商品購入等に応じて付与されるポイント又はクーポンなどを含むものである。
【００２９】
本実施形態にかかる電子財布装置１０は、これら多種多様な非接触ＩＣカード１を複数枚収納できる構造を有している。これにより、ユーザは、複数枚の非接触ＩＣカード１を電子財布装置１０に収納した状態でまとめて携帯できる。さらに、電子財布装置１０は、ホスト装置のリーダライタとの通信時には、ホスト装置の提供するサービスに応じて、当該複数枚の非接触ＩＣカード１の中から、ホスト装置のリーダライタとの通信に使用する適切なカードを自動的に選択できる。このためカード使用時には、図２に示すように、ユーザは、複数枚の非接触ＩＣカード１を収納した状態の電子財布装置１０をそのまま、ホスト装置のリーダライタ２１にかざすだけで、電子財布装置１０によって適切な非接触ＩＣカード１を自動的に選択して、リーダライタ１と通信できる。このため、ユーザは、電子財布装置１０から、必要な非接触ＩＣカード１を取り出すことなく、非接触ＩＣカード１を用いた所望のサービスを享受できる。
【００３０】
例えば、図２（ａ）に示すように、交通機関の改札において、ユーザが、複数枚の非接触ＩＣカード１を収納した電子財布装置１０を、交通機関の自動改札機２０Ａのリーダライタ２１Ａにかざす。すると、当該電子財布装置１０内の複数枚の非接触ＩＣカード１の中から、適切な交通機関カードが選択され、当該選択された交通機関カードとリーダライタ２１Ａとの間で、交通機関の乗車運賃支払いに関する情報が送受信される。
【００３１】
また、図２（ｂ）に示すように、コンビニエンスストア、デパート等の店舗において、ユーザが電子財布装置１０をレジスター装置２０Ｂのリーダライタ２１Ｂにかざす。すると、当該電子財布装置１０内の複数枚の非接触ＩＣカード１の中から、適切な電子マネーカードが選択され、当該選択された電子マネーカードとリーダライタ２１Ｂとの間で、商品の代金支払いに関する情報が送受信される。
【００３２】
また、図２（ｃ）に示すように、インターネット等に接続されたユーザ端末２０Ｃ（例えばパーソナルコンピュータ）を用いて電子商取引する際に、ユーザが、電子財布装置１０を、ユーザ端末２０Ｃのリーダライタ２１Ｃにかざす。すると、当該電子財布装置１０内の複数枚の非接触ＩＣカード１の中から、適切な電子決済カードが選択され、当該選択された電子決済カードとリーダライタ２１Ｃとの間で、電子商取引に関する情報が送受信される。
【００３３】
以上のように、本実施形態にかかる電子財布装置１０を、ホスト装置２０のリーダライタ２１の通信範囲内に位置づけることにより、ホスト装置２０が提供するサービスに応じた非接触ＩＣカード１が自動的に選択され、当該選択された非接触ＩＣカード１とホスト装置１０との間で所望のサービスに関する情報が送受信される。なお、上記図２では、電子財布装置１０の通信対象である外部装置として、自動改札機２０Ａ、レジスター装置２０Ｂ、ユーザ端末２０Ｃなどのホスト装置を例示した。しかし、これら以外にも、各種の商品や乗車券等の自動販売機、ＰＯＳ（Ｐｏｉｎｔ  Ｏｆ  Ｓａｌｅ）端末、キオスク端末、金融機関のＡＴＭなど、非接触ＩＣカード１と非接触通信可能な任意の外部装置を使用できる。
【００３４】
以下に、上記のような電子財布装置１０を利用したＩＣカードシステムの構成について、より詳細に説明する。
【００３５】
まず、図３を参照して、本実施形態にかかるＩＣカードシステムの構成例について説明する。図３は、本実施形態にかかるＩＣカードシステムにおけるホスト装置２０と非接触ＩＣカード１の構成例を示すブロック図である。
【００３６】
図３に示すように、ＩＣカードシステムでは、ホスト装置２０のリーダライタ２１が、ＲＦ（無線周波）動作磁界を発生することによって、非接触ＩＣカード１へ電力を伝送し、このＲＦ動作磁界をコマンドやデータなどで変調する。これにより、リーダライタ２１と非接触ＩＣカード１との間で非接触通信を行うことができる。この通信は、例えば、１３．５６ＭＨｚの周波数帯を利用し、２１２ｋｂｐｓの通信速度で行われ、副搬送波を使用しない「対称通信」である。また、変調方式としてはＡＳＫ（Ａｍｐｌｉｔｕｄｅ  Ｓｈｉｆｔ  Ｋｅｙｉｎｇ）変調方式、符号化方式としてはマンチェスター符号化方式を使用できる。さらに、データ衝突に対する検出・回避（アンチコリジョン）方式としては、例えばタイムスロット方式を使用できるが、ＩＣカードシステムは必ずしもアンチコリジョンに対応していなくてもよい。かかるＩＣカードシステムでは、ホスト装置２０のリーダライタ２１が非接触ＩＣカード１に対して各種のコマンドを発行し、非接触ＩＣカード１がこのコマンドに対して応答する方式で、トランザクションを繰り替えし、所定のサービスに関する通信を行う。
【００３７】
まず、ホスト装置２０の構成について説明する。ホスト装置２０は、制御部２２と、通信部２３と、アンテナ２４と、記憶部２５と、操作部２６と、外部インターフェース２７などを備える。このうち、制御部２２、通信部２３及びアンテナ２４等が、リーダライタ２１を構成する。
【００３８】
制御部２２は、マイクロプロセッサ等で構成され、ホスト装置２０内の各部を制御するとともに、所定の演算処理を行う。かかる制御部２２は、記憶部２５に記憶されたプログラムに従って動作し、所定のサービスに関する演算処理や、コマンド生成、各種情報の送受信の制御などを実行する。これにより、リーダライタ２１は、非接触ＩＣカード１に対するカード検出（ポーリング）、相互認証、データの読み書きなどを実行できる。
【００３９】
通信部２３は、制御部２２からの指示に基づき、アンテナ２４を用いて非接触ＩＣカード１との間で非接触通信を実行する。具体的には、通信部２３は、アンテナ２４を用いてＲＦ動作磁界を発生し、このＲＦ動作磁界によって非接触ＩＣカード１に電力を伝送するとともに、当該ＲＦ動作磁界を、所定のサービスに関連するコマンドやデータに応じて変調して、当該コマンドやデータを非接触ＩＣカード１に送信する。また、通信部２３は、非接触ＩＣカード１から受信したＲＦ動作磁界を復調して、非接触ＩＣカード１から送信されたコマンドやデータを取得し、制御部２２に出力する。
【００４０】
アンテナ２４は、非接触ＩＣカード１と通信するためのアンテナであり、例えばコイルアンテナで構成される。このアンテナ２４は通信部２３に接続されている。
【００４１】
記憶部２５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ等の記憶装置で構成され、各種の情報を永続的又は一時的に記憶する。例えば、記憶部２５は、非接触通信により所定のサービスを提供するために制御部２２を動作させるためのプログラム、リーダライタ２１が対応するサービスを表すコード（サービスコード、システムコード等）、非接触ＩＣカード１から取得したデータ、制御部２２により演算されたデータ、又は、操作部２６又は外部インターフェース２７からの入力データなどといった各種データを記憶する。
【００４２】
操作部２６は、例えば、操作キー等の入力装置で構成され、この操作部２６により、ユーザはホスト装置２０を操作することができる。また、図示はしないが、ホスト装置２０にディスプレイ等の表示装置を設けることで、ユーザは表示装置に表示された各種情報を確認できる。また、外部インターフェース２７は、ホスト装置２０に接続された外部機器（図示せず。）との間でネットワークを介して情報を送受信するためのデバイスである。
【００４３】
次に、非接触ＩＣカード１の構成について説明する。非接触ＩＣカード１は、制御部１２と、通信部１３と、アンテナ１４と、記憶部１５などを備える。このうち、制御部１２、通信部１３及び記憶部１５は、小型のＩＣチップに搭載されている。アンテナ１４は、非接触ＩＣカード１の外縁に沿って配置されるコイルアンテナなどで構成され、通信部１３に接続されている。
【００４４】
制御部１２は、マイクロプロセッサ等で構成され、非接触ＩＣカード１内の各部を制御するとともに、所定の演算処理を行う。かかる制御部１２は、記憶部１５に記憶されたアプリケーションプログラム等のプログラムに従って動作し、所定の演算処理や、コマンド生成、各種情報の送受信の制御などを実行する。例えば、制御部１２は、所定のサービスに関してリーダライタ２１と通信するときに、当該サービスに関するデータ（サービスデータ）を、記憶部１５に対して読み出し又は書き込むことができる。
【００４５】
通信部１３は、制御部１２からの指示に基づき、アンテナ１４を用いて、ホスト装置２０のリーダライタ２１との間で非接触通信を実行する。具体的には、通信部１３は、例えば、図示しないフロントエンド回路及び電源再生回路等から構成されており、リーダライタ２１から取得した電力とデータを制御部１２に供給する。ここで、電源再生回路は、アンテナ１４を用いて、リーダライタ２１が発生した搬送波のＲＦ動作磁界から、誘導起電力を発生させ、非接触ＩＣカード１の電力として取り込む。この誘導起電力は、ＩＣチップ１１０の各構成要素を駆動するための電力源として利用される。また、フロントエンド回路は、リーダライタ２１が発信した搬送波を、アンテナ１４を用いて受信し、当該搬送波を復調して、リーダライタ２１からのコマンド又はデータを取得し、制御部１２に供給する。また、通信部１３は、当該搬送波を分周して非接触ＩＣカード１を駆動させるためのクロックを再生する。さらに、通信部１３は、制御部１２により生成された所定のサービスに関連するコマンドやデータに応じて、上記搬送波を変調し、この変調した搬送波を、アンテナ１４を用いてリーダライタ２１に送信する。
【００４６】
記憶部１５は、ＲＯＭ、ＲＡＭ等のメモリで構成され、各種の情報を記憶する。例えば、記憶部１５は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）、フラッシュメモリ、又はＦｅＲＡＭ（Ｆｅｒｒｏｅｌｅｃｔｒｉｃ  ＲＡＭ）等の不揮発性メモリで構成できる。この記憶部１５は、例えば、非接触通信により所定のサービスを提供するために制御部１２を動作させるためのアプリケーションプログラム、非接触ＩＣカード１を一意に識別するためのカードＩＤ、非接触ＩＣカード１が対応するサービスを表すサービスを表すコード（サービスコード、システムコード等）、サービスデータ（電子バリュー等）などの各種データを記憶する。
【００４７】
なお、非接触ＩＣカード１が複数のサービスに対応したマルチアプリケーションカードである場合、記憶部１５には、当該各サービスに対応する複数種類のコード、アプリケーションプログラム及びサービスデータなどが格納される。
【００４８】
以上のような構成により、ホスト装置２０のリーダライタ２１と非接触ＩＣカード１との間で非接触通信を行うことで、非接触ＩＣカード１を用いた各種のサービスをユーザに提供できる。図３に示したように、非接触ＩＣカード１は、リーダライタ２１と直接的に非接触通信できるものであるが、上記の電子財布装置１０に収納された状態で、電子財布装置１０を介して間接的にリーダライタ２１と通信することもできる。つまり、電子財布装置１０は、複数枚の非接触ＩＣカード１とリーダライタ２１との間の非接触通信を仲介する機能を有する。なお、電子財布装置１０と、その内部に収納された非接触ＩＣカード１とは、上記図３リーダライタ２１と非接触ＩＣカード１の場合と同様な原理で、非接触通信可能である（図４参照。）。
【００４９】
次に、図４を参照して、本実施形態にかかる電子財布装置１０の構成について説明する。図４は、本実施形態にかかる電子財布装置１０の概略的な構成を示すブロック図である。
【００５０】
図４に示すように、電子財布装置１０は、筐体１０１と、収納部１０２と、表示部１０３と、操作部１０４と、カード通信用アンテナ１０５Ａ〜Ｃと、シールド１０６と、外部通信用アンテナ１０７と、バリュー記憶部１０８と、記憶部１０９と、制御部１１０とを主に備える。
【００５１】
電子財布装置１０の筐体１０１内には、複数の非接触ＩＣカード１を収納するための収納部１０２が設けられている。この収納部１０２は、例えば、上記の複数のスロット１０２Ａ〜Ｃ（図１参照。）からなり、筐体１０１に形成されたカード挿入口から挿入された複数枚（図４では例えば３枚）の非接触ＩＣカード１Ａ〜Ｃを安定的に保持する。このように、収納部１０２は、各非接触ＩＣカード１に対応する収納エリア（つまり、スロット１０２Ａ〜Ｃ）に区分されており、各収納エリアには、カード通信用アンテナ１０５Ａ〜Ｃ（以下「カード通信用アンテナ１０５」と総称する場合もある。）がそれぞれ配設されている。
【００５２】
カード通信用アンテナ１０５は、収納部１０２に収納された各々の非接触ＩＣカード１と非接触通信を行うためのアンテナである。カード通信用アンテナ１０５は、例えば、コイルアンテナなどで構成され、制御部１１０に接続される。このカード通信用アンテナ１０５は、収納部１０２に収納された各非接触ＩＣカード１に１：１対応するように複数個が設けられ、各非接触ＩＣカード１に対して対向配置されている。このため、各カード通信用アンテナ１０５は、収納部１０２内に収納された各非接触ＩＣカード１と、個別に非接触通信することができる。さらに、かかるカード通信用アンテナ１０５は、制御部１１０を介して外部通信用アンテナ１０７と接続されており、非接触ＩＣカード１内の記憶部１５に読み書きするデータを、リーダライタ２１とやりとりすることができる。
【００５３】
また、収納部１０２には、収納された複数の非接触ＩＣカード１の間を分断するように、シールド１０６が設けられている。このシールド１０６は、電磁波を遮断する材質で形成されており、収容部１０２内に収納された各非接触ＩＣカード１を、個別に取り囲むような形状となっている。かかるシールド１０６により、収納部１０２内に収納された複数枚の非接触ＩＣカード１間を電磁的に隔離して、相互干渉しないようにできる。このため、隣接する複数枚の非接触ＩＣカード１のアンテナコイルが互いに磁気結合することを防止でき、他の非接触ＩＣカード１の電磁誘導等による影響を排除できる。よって、収納部１０２に収納された複数枚の非接触ＩＣカード１の中から選択された１枚の非接触ＩＣカード１が、他の非接触ＩＣカード１により干渉されることなく、好適にリーダライタ２１と通信することができる。
【００５４】
以上のように、収納部１０２では、複数枚の非接触ＩＣカード１にそれぞれ対応する複数のカード通信用アンテナ１０５が設置され、複数枚の非接触ＩＣカード１を相互に電磁的に遮断するシールド１０６が設けられている。これにより、アンチコリジョン（データ衝突の検出・回避機能）に非対応の複数枚の非接触ＩＣカード１が収納部１０２に収納される場合であっても、各非接触ＩＣカード１が個別に通信可能となる。しかし、かかる例に限定されず、アンチコリジョン対応の非接触ＩＣカード１のみを収納する場合には、全ての非接触ＩＣカード１で共通のカード通信用アンテナ１０５を１つだけ設置し、シールド１０６を設けないようにすることもできる。
【００５５】
操作部１０３は、例えば、ボタン、レバー、タッチパネル等の操作キーで構成される。ユーザは、この操作部１０３を操作して、電子財布装置１０の動作内容を指示したり、データを入力したりできる。例えば、ユーザは操作部１０３を操作することで、バリュー記憶部１０８と非接触ＩＣカード１との間の電子バリューの移動を指示したり、移動元／先の非接触ＩＣカード１や、移動する額を指示したりできる。
【００５６】
表示部１０４は、液晶表示装置などのディスプレイ装置で構成される。この表示部１０４は、非接触ＩＣカード１を利用したサービスに関連する各種の情報を表示する。例えば、表示部１０４は、収納部１０２に収納された非接触ＩＣカード１の種類や、当該カード１内に記憶されたサービスデータ（例えば電子バリューの残額）などのカード内部情報を表示することができる。
【００５７】
外部通信用アンテナ１０７は、電子財布装置１０がホスト装置２０のリーダライタ２１等の外部装置と非接触通信を行うためのアンテナであり、例えば、コイルアンテナで構成される。この外部通信用アンテナ１０７は、制御部１１０と接続されている。かかる外部通信用アンテナ１０７は、リーダライタ２１が発信した搬送波を受信し、この搬送波に対応する信号を、制御部１１０又に出力する。また、外部通信用アンテナ１０７は、制御部１１０から出力された信号に対応する搬送波を、リーダライタ２１に送信する。
【００５８】
バリュー記憶部１０８は、例えば、ＥＥＰＲＯＭ、フラッシュメモリ又はＦｅＲＡＭ等の不揮発性メモリで構成される。このバリュー記憶部１０８は、各サービスで共通に使用可能な電子バリューを記憶する。例えば、バリュー記憶部１０８には、ホスト装置２０のリーダライタ２１から電子財布装置１０にチャージされた電子バリューや、非接触ＩＣカード１から移動された電子バリューなどが記憶される。
【００５９】
ここで、バリュー記憶部１０８に記憶される共通の電子バリューについて説明する。従来の電子マネーサービスで使用される電子バリューは、その電子マネーサービスに対応する非接触ＩＣカード１のみで使用可能であり、異なるサービス間での電子バリューの互換性はなかった。例えば、電子マネーサービスＡに対応する非接触ＩＣカード１Ａで使用される電子バリューは、他の電子マネーサービスＢに対応する非接触ＩＣカード１Ｂで使用することができなかった。このため、従来では、相異なる電子マネーサービスに対応する複数の非接触ＩＣカード１（以下「異種の非接触ＩＣカード１」という。）間で、電子マネーの電子バリューを交換したり、合算したりすることができなかった。従って、複数枚の非接触ＩＣカード１を所有するユーザは、個々の非接触ＩＣカード１をサービスごとに使い分ける必要があり、不便であった。
【００６０】
これに対し、本実施形態にかかるかバリュー記憶部１０８に記憶される電子バリューは、複数のサービス（例えば複数の電子マネーサービス）で共通に使用可能な電子バリューである。かかる共通の電子バリューは、同種のサービスに対応する複数の非接触ＩＣカード１間は勿論、異種のサービスに対応する複数の非接触ＩＣカード１間でも移動及び合算することができる。このように、バリュー記憶部１０８は、複数の非接触ＩＣカード１に記憶された各種の電子バリューに対して、いわゆるキャッシュ（ｃａｃｈｅ）として機能する。かかるバリュー記憶部１０８を電子財布装置１０内に設けることで、電子財布装置１０は、同種又は異種のサービスに対応する複数の非接触ＩＣカード１に対して、柔軟に対応可能となる。
【００６１】
記憶部１０９は、例えば、ＲＯＭ、ＲＡＭ等の半導体メモリで構成され、各種の情報を記憶する。例えば、この記憶部１０９は、例えば、制御部１１０を動作させるための各種のプログラム、リーダライタ２１と非接触ＩＣカード１との通信時にリーダライタ２１から取得したデータや、制御部１１０により演算されたデータ等の各種データを記憶する。
【００６２】
また、記憶部１０９は、収納部１０２に収納された複数枚の非接触ＩＣカード１内に記憶されている情報（以下「カード内部情報」という。）を含むカード情報データベース１２０を記憶している。このカード内部情報は、例えば、当該各非接触ＩＣカード１内の記憶部１５に記憶されているカードＩＤ、その非接触ＩＣカード１が対応するサービスのコード（サービスコード、システムコード等）、電子バリューを含むサービスデータなどを表す情報である。制御部１１０は、このカード情報ＤＢ１２０内のカード内部情報に基づいて、リーダライタ２１との通信に使用する非接触ＩＣカード１を選択できる。
【００６３】
制御部１１０は、例えば、ＩＣチップに搭載されたマイクロプロセッサ等で構成される。この制御部１１０は、電子財布装置１０内の各部を制御するとともに、所定の演算処理を行う。かかる制御部１１０は、記憶部１０９に記憶されたプログラムに従って動作し、所定のサービスに関する演算処理や、コマンド生成、各種情報の送受信の制御などを実行する。これにより、電子財布装置１０は、リーダライタ２１との間で、非接触ＩＣカード１のカード検出（ポーリング）、相互認証、データの読み書きなどのトランザクション処理を実行できる。
【００６４】
さらに、制御部１１０は、通信部１１１、カード情報登録部１１２、カード選択部１１３、取引可否判定部１１４、バリュー移動部１１５、取引処理部１１６として機能する。以下、これら各機能部について説明する。
【００６５】
通信部１１１は、外部通信用アンテナ１０７を介してホスト装置２０のリーダライタ２１とデータ通信するとともに、カード通信用アンテナ１０５を介して各非接触ＩＣカード１とデータ通信する。かかる通信部１１１により、ホスト装置２０と電子財布装置１０との間、及び、電子財布装置１０と非接触ＩＣカード１との間で、各種のコマンド、データを送受信できる。
【００６６】
この通信部１１１は、ホスト装置２０のリーダライタ２１から、当該ホスト装置２０が提供するサービスに関する取引要求を受信する。この取引要求は、例えば、電子マネーサービスや電子決済サービスにおける所定額の電子バリューの支払要求、交通機関サービスにおける所定額の乗車運賃の支払要求、ポイント／クーポンカードシステムにおけるポイント／クーポンの追加・削除・更新要求などである。
【００６７】
また、通信部１１１は、後述のカード選択部１１３により選択された非接触ＩＣカード１と、ホスト装置２０のリーダライタ２１とを、カード通信用アンテナ１０５及び外部通信用アンテナ１０７を介して通信可能に接続することもできる。これにより、電子財布装置１０をリーダライタ２１にかざしたときには、非接触ＩＣカード１自体をリーダライタ２１にかざしたときと同様に、電子財布装置１０内の非接触ＩＣカード１は、リーダライタ２１との間で所定のサービスに関する各種のコマンド、データを送受信できるようになる。
【００６８】
カード情報登録部１１２は、収納部１０２に収納された非接触ＩＣカード１を認識し、当該非接触ＩＣカード１内に記憶されたカード内部情報を、カード情報ＤＢ１２０に登録する。詳細には、カード情報登録部１１２は、収納部１０２の各スロット１０２Ａ〜Ｃに非接触ＩＣカード１Ａ〜Ｃが挿入されたこと、或いは、各スロット１０２Ａ〜Ｃから非接触ＩＣカード１Ａ〜Ｃが抜かれたことを検知することで、各スロット１０２Ａ〜Ｃに非接触ＩＣカード１が収納されているか否かを認識する。さらに、カード情報登録部１１２は、スロット１０２Ａ〜Ｃに収納されている非接触ＩＣカード１から、コード（サービスコード、システムコード等）、カードＩＤ等の識別情報を読み出すことで、スロット１０２Ａ〜Ｃに収納されている非接触ＩＣカード１の種類を判別する。コードは、非接触ＩＣカード１が対応するサービスの種類、即ち、非接触ＩＣカード１の種類を表す情報である。カード情報登録部１１２は、各非接触ＩＣカード１に記憶されたコードにより、複数枚の非接触ＩＣカード１が同種のカードであるか異種のカードであるかを判別できる。
【００６９】
さらに、カード情報登録部１１２は、収納部１０２に収納された非接触ＩＣカード１内に記憶されているカード内部情報を、記憶部１０９のカード情報ＤＢ１２０に登録・更新する。カード情報登録部１１２は、この登録／更新動作を、収納部１０２に対する非接触ＩＣカード１の挿抜をトリガとして実行してもよいし、カード収納後に定期的に実行してもよい。詳細には、例えば、非接触ＩＣカード１が収納部１０２に挿入された時に、カード情報登録部１１２は、収納部１０２に収納された非接触ＩＣカード１の記憶部１５に記憶されているカード内部情報を読み出して、カード情報ＤＢ１２０に登録する。また、例えば非接触ＩＣカード１が収納部１０２から抜かれた時に、カード情報登録部１１２は、当該非接触ＩＣカード１のカード内部情報を、カード情報ＤＢ１２０から削除する。また、非接触ＩＣカード１が使用されて、当該カード１内のサービスデータが変更された時に、カード情報登録部１１２は、カード情報ＤＢ１２０内の当該非接触ＩＣカード１のサービスデータを表す情報を更新する。
【００７０】
カード選択部１１３は、リーダライタ２１からの通信要求に応じて、収納部１０２に収納された複数枚の非接触ＩＣカード１の中から、リーダライタ２１との通信に使用するカードを選択する。ＩＣカードシステムにおいて、リーダライタ２１と非接触ＩＣカード１間の非接触通信により実現されるサービスは、ホスト装置２０からの通信要求に含まれるコード（例えば、ホスト装置２０が提供するサービスを表すシステムコード、サービスコード）で特定できる。非接触通信の初期段階では、リーダライタ２１は当該コードを含む通信要求（リクエストコマンド）を発信し、リーダライタ２１の通信範囲内に、そのサービスに対応する非接触ＩＣカード１が存在するか否かを探索（所謂ポーリング）する。カード選択部１１３は、例えば、カード情報ＤＢ１２０に登録されている各非接触ＩＣカード１のコードに基づいて、このリーダライタ２１からの通信要求に含まれるコードに適合する非接触ＩＣカード１を選択する。
【００７１】
詳細には、ホスト装置２０と電子財布装置１０との通信開始時には、電子財布装置１０通１１１は、ホスト装置２０のリーダライタ２１から外部通信用アンテナ１０７を介して、当該ホスト装置２０が対応する所定のサービスを表すコードを含む通信要求を受信する。すると、カード選択部１１３は、記憶部１０９のカード情報ＤＢ１２０から、収納部１０２に収納されている非接触ＩＣカード１が対応するサービスのコードを読み出し、上記受信したコードと、上記読み出したコードとを照合することで、リーダライタ２１からの通信要求を受けたサービスに対応する非接触ＩＣカード１を特定する。これによって、カード選択部１１３は、収納部１０２に収納された複数枚の非接触ＩＣカード１の中から、通信要求を受けたサービスに対応可能な非接触ＩＣカード１を選択できる。
【００７２】
取引可否判定部１１４は、上記通信部１１１によりリーダライタ２１から受信した取引要求に応じて、電子財布装置１０及び／又は各非接触ＩＣカード１に記憶されている電子バリューを用いて、当該要求された取引を実行できるか否かを判定する。この取引要求は、例えば、上記のような電子マネー、電子決済、交通機関の乗車券等の支払要求や、ポイント／クーポンの追加・削除・更新要求などである。
【００７３】
例えば、取引要求として、電子マネーの支払要求の例について詳細に説明する。取引可否判定部１１４は、ホスト装置２０のリーダライタ２１から受信した所定額の電子バリューの支払要求に応じて、電子財布装置１０及び／又は各非接触ＩＣカード１に記憶されている電子バリューで支払い可能か否かを判定する。取引可否判定部１１４は、電子財布装置１０全体で保持する電子バリューで支払い可能か否かを判定することができる（トータルバリュー判定）。また、取引可否判定部１１４は、個々の非接触ＩＣカード１単体で保持する電子バリューで支払い可能か否かを判定できる（個別バリュー判定）。
【００７４】
トータルバリュー判定を行う場合、取引可否判定部１１４は、カード情報ＤＢ１２０に基づき、電子財布装置１０のバリュー記憶部１０８が保持する電子バリューと、収納部１０２内の１又は２以上の非接触ＩＣカード１が保持している電子バリューとの合計額（以下「トータルバリュー」という。）を計算する。そして、取引可否判定部１１４は、計算したトータルバリューが、リーダライタ２１から要求された所定額以上であれば、支払い可能と判定し、当該所定額未満であれば、支払い不能と判定する。
【００７５】
トータルバリューは、各カード１が対応するサービスの種類に関わらず、収納部１０２内の全ての非接触ＩＣカード１が保持する電子バリューの合計額を含むようにしてもよい（全サービスのトータルバリュー）。或いは、トータルバリューは、収納部１０２内の複数の非接触ＩＣカード１のうち、支払要求元のホスト装置２０が提供するサービスに対応する１又は２以上の非接触ＩＣカード１のみが保持する電子バリューの合計額を含むようにしてもよい（個々のサービスのトータルバリュー）。
【００７６】
例えば、電子財布装置１０内に、ある電子マネーサービスＡに対応する２枚の非接触ＩＣカード１Ａ、１Ｂと、他の電子マネーサービスＢに対応する非接触ＩＣカード１Ｃが収納されており、それぞれのカード１Ａ、１Ｂ、１Ｃが１００、２００、５００ポイントの電子バリューを保持し、バリュー記憶部１０８が保持する電子バリューは０ポイントである場合を想定する。この場合、全サービスのトータルバリューは８００ポイントとなり、一方、個々の電子マネーサービスＡ、Ｂのトータルバリューはそれぞれ３００ポイント、５００ポイントとなる。全サービスのトータルバリューは、同種及び異種の非接触ＩＣカード１間で電子バリューの移動が可能であることを前提とした判定基準である。一方、個々のサービスのトータルバリューは、同種サービスの非接触ＩＣカード１間でのみ電子バリューの移動が可能であることを前提とした判定基準である。
【００７７】
また、上記個別バリュー判定を行う場合、取引可否判定部１１４は、カード情報ＤＢ１２０から、収納部１０２内の非接触ＩＣカード１のいずれか１つが保持している電子バリュー（以下「個別バリュー」という。）を読み出し、この個別バリューの額が、ホスト装置２０から要求された所定額以上であれば、支払い可能と判定し、当該所定額未満であれば、支払い不能と判定する。これにより、支払要求元のホスト装置２０が提供するサービスに対応する非接触ＩＣカード１単体で、ホスト装置２０から要求された所定額を支払い可能であるかを判定できる。この個別バリュー判定は、例えば、上記カード選択部１１２により、ホスト装置２０のリーダライタ２１と通信に使用するカードとして選択された非接触ＩＣカード１について行われる。この結果、当該非接触ＩＣカード１が保持する電子バリューでの支払いが可能であると判定された場合には、当該非接触ＩＣカード１のみの電子バリューを用いて上記所定額の電子バリューを支払う。一方、支払不能であると判定された場合には、当該非接触ＩＣカード１にバリュー記憶部１０８又は他の非接触ＩＣカード１から電子バリューを移動させて、当該非接触ＩＣカード１の電子バリューの残額を当該所定額以上に増額した上で、当該所定額の電子バリューをホスト装置２０に支払う。
【００７８】
バリュー移動部１１５は、電子財布装置１０のバリュー記憶部１０８と、収納部１０２に収納された非接触ＩＣカード１との間で、電子バリューを移動させる。即ち、バリュー移動部１１５は、非接触ＩＣカード１に記憶されている電子バリューをバリュー記憶部１０８に移動させ、その逆に、バリュー記憶部１０８に記憶されている電子バリューを非接触ＩＣカード１に移動させることができる。ここで、電子バリューの移動とは、ある記憶媒体に記憶されている電子バリューの少なくとも一部を減額し、その減額分の電子バリューを他の記憶媒体に増額することをいう。
【００７９】
上記支払い可否判定部１１４により、カード選択部１１３で選択された非接触ＩＣカード１単体では、リーダライタ２１から要求された所定額を支払不能であると判定された場合、バリュー移動部１１５は、当該非接触ＩＣカード１にバリュー記憶部１０８又は他の非接触ＩＣカード１から、不足額以上の電子バリューを移動させる。これにより、当該非接触ＩＣカード１により所定額の電子バリューを支払い可能となる。
【００８０】
また、バリュー移動部１１５は、操作部１０３に対するユーザ入力に基づいて、非接触ＩＣカード１とバリュー記憶部１０８との間で電子バリューを移動させることもできる。これにより、ユーザは、所望の非接触ＩＣカード１から電子財布装置１０に電子バリューを移動させたり、電子財布装置１０から所望の非接触ＩＣカード１に電子バリューを移動させたりできる。かかる手動により移動される電子バリューの額は、例えば、ユーザが任意の額を指定できるようにしてもよいし、バリュー移動部１１５が予め定められた所定額（例えば１０００ポイント）を自動的に選択するようにしてもよい。
【００８１】
また、バリュー移動部１１５は、複数枚の非接触ＩＣカード１が保持する電子バリューをバリュー記憶部１０８に移動させて合計し、このバリュー記憶部１０８内の合計バリューを１枚の非接触ＩＣカード１にまとめてチャージすることができる。また、バリュー移動部１１５は、バリュー記憶部１０８が保持する電子バリューを、複数枚の非接触ＩＣカード１に分散してチャージすることもできる。
【００８２】
このとき、サービスごとに電子バリューを区別して、同種の非接触ＩＣカード１間でのみバリュー記憶部１０８を介して電子バリューを移動できるようにしてもよい。これにより、サービスごとに電子バリューを別々に管理・使用して、相異なるサービス間での電子バリューの区別を維持できる。一方、バリュー記憶部１０８が共通の電子バリューを保持できる利点を生かして、異種の非接触ＩＣカード１間でもバリュー記憶部１０８を介して電子バリューを移動できるようにしてもよい。これにより、複数のサービスで使用される電子バリューを一括管理でき、異種の非接触ＩＣカード１間で電子バリューを移動させて、電子バリューを柔軟に使用できる。従って、複数の非接触ＩＣカード１を所有するユーザの利便性が向上する。
【００８３】
取引処理部１１６は、上記取引要求に応じて、ホスト装置２０と非接触ＩＣカード１との間で取引が実行されるよう制御する。例えば、ホスト装置２０から上記所定額の電子バリューの支払要求を受けた場合、取引処理部１１６は、上記カード選択部１１３により選択された非接触ＩＣカード１からホスト装置２０に対して、上記所定額の電子バリューを支払うよう制御する。具体的には、ホスト装置２０と上記選択された非接触ＩＣカード１とが通信可能に接続された状態で、取引処理部１１６は、上記リーダライタ２１から受信した支払要求を当該非接触ＩＣカード１に出力して支払いを指示し、その後は、非接触ＩＣカード１とリーダライタ２１との間における各種のコマンド、データの送受信を中継する。
【００８４】
また、取引処理部１１６は、ホスト装置２０のリーダライタ２１と電子バリューのチャージに関するコマンド、データを送受信することで、ホスト装置２０から取得した電子バリューをバリュー記憶部１０８にチャージすることができる。
【００８５】
以上、図４を参照して本実施形態にかかる電子財布装置１０の構成について説明した。なお、図４に示す制御部１１０の各機能部１１１〜１１６は、上記各機能を実行するためのプログラムを電子財布装置１０にインストールすることで実現してもよいし、又は、専用のハードウェアを設置することで実現してもよい。
【００８６】
以上の構成の電子財布装置１０の利点について説明する。従来一般的なＩＣカードシステムでは、図３で説明したように、リーダライタ２１を備えたホスト装置２０と非接触ＩＣカード１との間で直接的にデータの送受信が行われ、取引内容に応じて、非接触ＩＣカード１内の記憶部１５に電子バリューが直接読み書きされていた。
【００８７】
これに対し、本実施形態にかかる電子財布装置１０は、その内部に、各種のサービスの電子バリューを記憶可能なバリュー記憶部１０８を有している。そして、非接触ＩＣカード１とバリュー記憶部１０８との間で電子バリューを移動させたり、複数の非接触ＩＣカード１間でバリュー記憶部１０８を介して電子バリューを移動させたりすることができる。従って、電子財布装置１０は、バリュー記憶部１０８を、非接触ＩＣカード１における電子バリューの使用前に当該電子バリューを一時的に記憶するキャッシュとして機能させて、各種のサービスの電子バリューをバリュー記憶部１０８に出し入れすることができる。よって、バリュー記憶部１０８を用いて、同種又は異種の電子マネーサービスの電子バリューを一括管理することができ、複数枚の非接触ＩＣカード１に記憶された各種の電子バリューの使用時に柔軟に対処できる。
【００８８】
次に、図５及び図６を参照して、上記の電子財布装置１０を用いた電子バリュー利用方法の概要について説明する。図５は、本実施形態にかかる電子財布装置１０における電子バリューのチャージの概要を示す説明図であり、図６は、本実施形態にかかる電子財布装置１０における電子バリューの使用の概要を示す説明図である。なお、図５及び図６では、図４で示した電子財布装置１０の構成を簡略化して示してある。
【００８９】
図５に示すように、ホスト装置２０のリーダライタ２１から電子財布装置１０に電子バリューをチャージする際には、チャージ対象の電子バリュー（例えば１０００ポイント）は、バリュー記憶部１０８に格納される。このように、ユーザは、電子財布装置１０のバリュー記憶部１０８を例えば銀行口座のように機能させて、自己の電子バリューをチャージ（貯金）しておくことができる。
【００９０】
次いで、図６に示すように、電子マネーの使用時には、バリュー記憶部１０８に記憶された電子バリューは、使用する電子マネーサービスＡの種類に対応する非接触ＩＣカード１Ａに移動（チャージ）され、この非接触ＩＣカード１Ａにより使用される。詳細には、電子財布装置１０の制御部１１０は、ホスト装置２０のリーダライタ２１から、所定額（例えば１０００ポイント）の支払要求を受けると、バリュー記憶部１０８に記憶された電子バリューを、使用する電子マネーサービスＡの種類に対応する非接触ＩＣカード１Ａに移動（チャージ）する。その後、この電子バリューの移動を受けた非接触ＩＣカード１Ａが、リーダライタ２１と通信を行って、当該カード１Ａが保持する電子バリューから、上記支払要求を受けた所定額の電子バリュー（例えば１０００ポイント）を、ホスト装置２０に支払う。このようにバリュー記憶部１０８が保持する電子バリューを、非接触ＩＣカード１Ａに移動（チャージ）すると、当該電子バリューは、その非接触ＩＣカード１Ａが対応する電子マネーサービスＡで使用可能な電子バリューとして機能する。
【００９１】
以上のように、本実施形態にかかる電子財布装置１０では、バリュー記憶部１０８に記憶された電子バリューを、各種の電子マネーサービスで共通の電子バリューとして使用することを特徴としている。そして、電子バリューの使用時には、バリュー記憶部１０８からホスト装置２０に対して直接使用するのではなく、バリュー記憶部１０８が保持する電子バリューを非接触ＩＣカード１Ａに移動させてから、非接触ＩＣカード１Ａからホスト装置２０に対して、上記移動された電子バリューを使用する。このように、バリュー記憶部１０８が保持する電子バリューを、非接触ＩＣカード１を介して使用するのは、バリュー記憶部１０８が保持する電子バリューは、いずれの電子マネーサービスにも属していない共通の電子バリューであるからである。
【００９２】
次に、図７を参照して、本実施形態にかかる電子財布装置１０における電子バリュー利用方法の処理フローについて説明する。図７は、本実施形態にかかる電子財布装置１０における電子バリュー利用方法を示すフローチャートである。
【００９３】
図７に示すように、まず、ユーザが電子財布装置１０に電子バリューをチャージするために、電子財布装置１０をホスト装置２０のリーダライタ２１にかざすと、電子財布装置１０の制御部１１０は、ホスト装置２０のリーダライタ２１と非接触通信を行って、所定額の電子バリューをバリュー記憶部１０８にチャージする（ステップＳ１）。
【００９４】
次いで、店舗における商品の購入時などに、ユーザが電子財布装置１０をホスト装置２０のリーダライタ２１にかざすと、制御部１１０は、ホスト装置２０から、当該ホスト装置２０に対応する電子マネーサービスの電子マネーについて、購入代金に応じた額の支払要求を受信する（ステップＳ２）。
【００９５】
すると、制御部１１０は、上述したトータルバリュー判定を行い、電子財布装置１０内のトータルバリューが、支払要求された所定額以上であるか否かを判定する（ステップＳ３）。詳細には、制御部１１０は、電子財布装置１０のバリュー記憶部１０８が保持する電子バリューと、収納部１０２内の１又は２以上の非接触ＩＣカード１が保持する電子バリューとの合計額（トータルバリュー）を計算し、このトータルバリューと上記所定額とを比較する。この結果、トータルバリューが上記所定額未満である場合には、電子財布装置１０の現状のチャージ額では支払い不能である。このため、電子財布装置１０は、表示部１０４に「残額不足」などのエラー表示を行うなどして、ユーザに対してエラー通知を行って（ステップＳ４）、ユーザにチャージを促す。一方、トータルバリューが上記所定額以上である場合には、電子財布装置１０を用いて支払い可能であるので、ステップＳ５に進む。
【００９６】
次いで、制御部１１０は、収納部１０２に収納された複数枚の非接触ＩＣカード１の中から、ホスト装置２０のリーダライタ２１との通信に使用する非接触ＩＣカード１、即ち、上記所定額の支払いを実行する非接触ＩＣカード１（以下「支払いカード」という。）を選択する（ステップＳ５）。詳細には、制御部１１０は、ホスト装置２０から送信された支払要求に含まれるコード（サービスコード、システムコード等）と、カード情報ＤＢ１２０に登録されている各非接触ＩＣカード１のコードとを照合し、ホスト装置２０の提供するサービスに対応する非接触ＩＣカード１を支払いカードとして選択する。同種の非接触ＩＣカード１が複数存在する場合には、それらのうちから電子バリューの残額が最も多い／少ないカードなどを、制御部１１０が自動的に選択してもよいし、或いは、電子財布装置１０からの選択指示を受けたユーザが手動で選択してもよい。なお、本ステップＳ５と上記ステップＳ３の先後は問わない。
【００９７】
さらに、制御部１１０は、上述した個別バリュー判定を行い、上記選択された支払いカード内の電子バリューが、支払要求された所定額以上であるか否かを判定する（ステップＳ６）。詳細には、制御部１１０は、支払いカードが保持する電子バリューと上記所定額とを比較し、支払いカードにチャージされている電子バリューの残額が不足しているか否かを判定する。この結果、支払いカードが保持する電子バリューが上記所定額以上である場合には、当該支払いカード単独で支払い可能であり、電子バリューの移動は不要であるので、ステップＳ８に進む。一方、支払いカードが保持する電子バリューが上記所定額未満である場合には、電子バリュー残額が不足しており、支払いカード単独では支払い不能であるので、ステップＳ７に進む。
【００９８】
次いで、制御部１１０は、他の非接触ＩＣカード１及び／又はバリュー記憶部１０８から支払いカードに対して、少なくとも不足額以上の電子バリューを移動させる（ステップＳ７）。例えば、バリュー記憶部１０８に不足額分以上の電子バリューが保持されている場合には、制御部１１０は、バリュー記憶部１０８から支払いカードに電子バリューを移動させる。また、バリュー記憶部１０８が保持する電子バリューが不足額未満である場合には、制御部１１０は、収納部１０２内の他の非接触ＩＣカード１が保持する電子バリューをバリュー記憶部１０８に移動させ、さらに、このバリュー記憶部１０８から支払いカードに十分な額の電子バリューを移動させる。かかる移動の結果、支払いカードが保持する電子バリューが、上記支払要求された所定額以上に増額される。
【００９９】
その後、制御部１１０は、支払いカードが保持する電子バリューを使用して、ホスト装置２０に対して上記所定額の電子バリューを支払うように制御する（ステップＳ８）。詳細には、制御部１１０は、収納部１０２内の支払いカードに対して、上記所定額分の電子バリューの支払い処理を実行するよう指示する。支払いカードは、制御部１１０からの指示を受けて、リーダライタ２１との間で、電子バリューの支払いに関するコマンド、データを送受信して、自身が保持する電子バリューを上記所定額分だけ減額する。
【０１００】
次に、図８を参照して、本実施形態にかかる電子財布装置１０における電子バリューの支払方法の例について説明する。この図８は、電子マネーサービスＡに対応する非接触ＩＣカード１Ａの電子バリューの残額が不足している場合に、バリュー記憶部１０８から非接触ＩＣカード１Ａに電子バリューをチャージした上で、ホスト装置２０に電子バリューを支払うケースを示している。
【０１０１】
図８に示すように、まず、ホスト装置２０のリーダライタ２１が、電子財布装置１０に対して、電子マネーサービスＡに対応する電子マネーについて、所定額（１０００ポイント）の支払要求を送信する（ステップＳ１０）。電子財布装置１０の制御部１１０は、リーダライタ２１から受信した支払要求に応じて、収納部１０２に収納されている複数枚の非接触ＩＣカード１Ａ〜１Ｃの中から、電子マネーサービスＡに対応する非接触ＩＣカード１Ａ（以下「電子マネーカードＡ」という。）を、電子バリューの支払いを実行する支払いカードとして選択する（ステップＳ１２）。
【０１０２】
次いで、制御部１１０は、電子マネーカードＡに対し、電子マネーカードＡ内に記憶されている電子バリューの残額を問い合わせるためのコマンドを送信し（ステップＳ１４）、これに応じて、電子マネーカードＡから当該残額の返答（例えば６００ポイント）を受信する（ステップＳ１６）。なお、電子財布装置１０が、電子マネーカードＡ内の電子バリューの残額を、取引発生前（支払要求の受信前）に予め取得して、カード情報ＤＢ１２０に登録している場合には、上記の残額照会処理（ステップＳ１４、Ｓ１６）は不要である。
【０１０３】
次いで、制御部１１０は、上記電子マネーカードＡが保持する電子バリューの残額と上記支払要求額とを比較し、電子マネーカードＡ単独で支払要求額を支払い可能であるか否かを判定する（ステップＳ１８）。例えば、図示のように、電子マネーカードＡの電子バリューの残額（６００ポイント）が、上記支払要求額（１０００ポイント）に満たない場合には、支払不能であると判定される。なお、電子マネーカードＡに支払要求額以上の電子バリューがあると判定された場合には、次のステップＳ２０での電子バリューの移動処理は不要である。
【０１０４】
上記Ｓ１８での判定により支払不能と判定された場合には、制御部１１０は、上記支払要求額と電子マネーカードＡの電子バリュー残額とに応じて、バリュー記憶部１０８から電子マネーカードＡに電子バリューを移動させる（ステップＳ２０）。この結果、電子マネーカードＡから電子財布装置１０を介してホスト装置２０に、上記支払要求額の電子バリューを支払うことができる（ステップＳ２２、Ｓ２４）。この電子バリューの支払い処理は、電子マネーカードＡ内に記憶された電子バリューの額を上記支払要求額だけ減額し、その旨の通知をホスト装置２０に送信することによってなされる。
【０１０５】
ここで、上記ステップＳ２０にて、バリュー記憶部１０８から電子マネーカードＡに移動させる電子バリューの額は、「（カードＡ内のバリュー残額＋バリュー記憶部１０８からカードＡに移動するバリュー額）≧支払要求額」の関係を満たせばよい。図示の例では、バリュー記憶部１０８から電子マネーカードＡへ移動される電子バリューの額は、４００（＝１０００−６００）ポイント以上であればよい。電子マネーカードＡによる支払い後に余った電子バリュー額は、電子マネーカードＡ又はバリュー記憶部１０８に残存する。
【０１０６】
次に、図９を参照して、本実施形態にかかる電子財布装置１０における電子バリューの支払方法の別の例について説明する。この図９は、同一の電子マネーサービスＡに対応する同種の非接触ＩＣカード１Ａ、１Ｂを用いて、電子バリューを支払うケースを示している。なお、非接触ＩＣカード１Ａ、１Ｂには、それぞれ７００、５００ポイントの電子バリューが予め記憶されているものとする。
【０１０７】
図９に示すように、まず、ホスト装置２０のリーダライタ２１が、電子財布装置１０に対して、電子マネーサービスＡに対応する電子マネーについて、所定額（１０００ポイント）の支払要求を送信する（ステップＳ３０）。電子財布装置１０の制御部１１０は、リーダライタ２１から受信した支払要求に応じて、収納部１０２に収納されている複数枚の非接触ＩＣカード１Ａ〜１Ｃの中から、電子マネーサービスＡに対応する複数の非接触ＩＣカード１Ａ、１Ｂ（以下それぞれ「電子マネーカードＡ、Ｂ」という。）を、電子バリューの支払いを実行する支払いカードの候補として選択する（ステップＳ３２）。
【０１０８】
次いで、制御部１１０は、電子マネーカードＡ、Ｂがそれぞれ保持する電子バリューの残額と、上記支払要求額とを比較し、電子マネーカードＡ、Ｂ単独で支払要求額を支払い可能であるか否かを判定する（ステップＳ３４）。例えば、図示の例では、各電子マネーカードＡ、Ｂが保持する電子バリューの残額（７００、５００ポイント）は、上記支払要求額（１０００ポイント）に満たないので、各電子マネーカードＡ、Ｂ単独では支払不能であると判定される。このような場合、従来では、電子マネーカードＡ、Ｂの電子バリューの総額（１２００ポイント）が足りているとしても、電子マネーカードＡ、Ｂの電子バリューを合算して支払うことができなかった。ところが、本実施形態では、電子マネーカードＡ、Ｂ間でバリュー記憶部１０８を介して電子バリューを移動させて、両者の電子バリューを合算することで、支払いが可能となる。
【０１０９】
詳細には、まず、制御部１１０は、上記サービスＡに対応した電子マネーカードＡ、Ｂのうち、例えば、残額が多いカードＡを支払いカードとして選択する。次いで、制御部１１０は、上記支払要求額（１０００ポイント）と電子マネーカードＡの電子バリュー残額（７００ポイント）とに基づき、電子マネーカードＡにおける電子バリューの不足額（３００ポイント）を算出する。そして、制御部１１０は、電子マネーカードＢからバリュー記憶部１０８に上記不足額以上の電子バリュー（例えば３００ポイント）を移動させ（ステップＳ３６）、さらに、バリュー記憶部１０８から電子マネーカードＡに、不足額以上の電子バリュー（例えば３００ポイント）を移動させる（ステップＳ３８）。この結果、電子マネーカードＡが保持する電子バリューが増額されるので（１０００ポイント）、電子マネーカードＡから電子財布装置１０を介してホスト装置２０に、上記支払要求額の電子バリューを支払うことができる（ステップＳ４０、Ｓ４２）。
【０１１０】
以上のように、同種の電子マネーカードＡ、Ｂ間でバリュー記憶部１０８を介して、電子バリューを移動させることで、双方のカードＡ、Ｂが保持する電子バリューを合算して、合算した電子バリューの額の範囲内で、ホスト装置２０に対して支払いを実行できる。
【０１１１】
なお、図９の例では、同一のサービスＡに対応する複数の電子マネーカードＡ、Ｂ間で電子バリューを相互に移動させたが、本発明はかかる例に限定されない。例えば、相異なるサービスに対応する複数の非接触ＩＣカード１間（即ち、異種の非接触ＩＣカード１間）で、電子バリューを相互に移動させることも可能である。これにより、異種の非接触ＩＣカード１を複数枚所有するユーザの利便性がさらに向上する。
【０１１２】
また、図９の例では、電子財布装置１０内に同種の電子マネーカードＡ、Ｂが収納されているときに、電子バリューの残額が多い方の電子マネーカードＡから支払いを行ったが、本発明はかかる例に限定されない。例えば、電子バリューの残額が少ない方の電子マネーカードＢから支払いを行ってもよいし、複数の電子マネーカードＡ、Ｂから均等な額を支払ってもよい。
【０１１３】
次に、図１０を参照して、本実施形態にかかる電子財布装置１０における電子バリューの支払方法の別の例について説明する。この図１０は、相異なる電子マネーサービスＡ、Ｂにそれぞれ対応する異種の非接触ＩＣカード１Ａ、１Ｃを用いて、電子バリューを支払うケースを示している。なお、非接触ＩＣカード１Ａ、１Ｃには電子バリューがチャージされておらず、電子財布装置１０のバリュー記憶部１０８に十分な額の電子バリューがチャージされているものとする。
【０１１４】
図１０に示すように、まず、ホスト装置２０のリーダライタ２１が、電子財布装置１０に対して、電子マネーサービスＡに対応する電子マネーについて、所定額（１０００ポイント）の支払要求を送信する（ステップＳ５０）。すると、電子財布装置１０の制御部１１０は、この支払要求に応じて、収納部１０２に収納されている複数枚の非接触ＩＣカード１Ａ〜１Ｃの中から、電子マネーサービスＡに対応する非接触ＩＣカード１Ａ（以下「電子マネーカードＡ」という。）を支払いカードとして選択する（ステップＳ５２）。
【０１１５】
次いで、制御部１１０は、バリュー記憶部１０８から電子マネーカードＡに、上記支払要求額に応じた分の電子バリュー（１０００ポイント）を、電子マネーサービスＡの電子マネーとして移動させる（ステップＳ５４）。この結果、電子マネーカードＡから電子財布装置１０を介してホスト装置２０に、上記支払要求額の電子バリュー（１０００ポイント）を支払うことができる（ステップＳ５６、Ｓ５８）。
【０１１６】
次いで、ホスト装置２０のリーダライタ２１が、電子財布装置１０に対して、電子マネーサービスＢに対応する電子マネーについて、所定額（５００ポイント）の支払要求を送信する（ステップＳ６０）。すると、電子財布装置１０の制御部１１０は、この支払要求に応じて、収納部１０２に収納されている複数枚の非接触ＩＣカード１Ａ〜１Ｃの中から、電子マネーサービスＢに対応する非接触ＩＣカード１Ｃ（以下「電子マネーカードＣ」という。）を支払いカードとして選択する（ステップＳ６２）。
【０１１７】
次いで、制御部１１０は、バリュー記憶部１０８から電子マネーカードＣに、上記支払要求額に応じた分の電子バリュー（５００ポイント）を、電子マネーサービスＢの電子マネーとして移動させる（ステップＳ６４）。この結果、電子マネーカードＣから電子財布装置１０を介してホスト装置２０に、上記支払要求額の電子バリュー（５００ポイント）を支払うことができる（ステップＳ６６、Ｓ６８）。
【０１１８】
以上のように、電子財布装置１０の収納部１０２に、相異なるサービスＡ、Ｂに対応した電子マネーカードＡ、Ｃが挿入されている場合には、バリュー記憶部１０８から、それぞれの電子マネーカードＡ、Ｃに電子バリューをチャージして、相異なるサービスＡ、Ｂの電子マネーとして支払いを行うことできる。
【０１１９】
以上、本実施形態にかかる電子財布装置１０及びそれを用いた電子バリュー利用方法、取引方法について説明した。本実施形態によれば、電子財布装置１０は、各種のサービスの電子バリューに対してキャッシュとして機能するバリュー記憶部１０８を備え、このバリュー記憶部１０８と非接触ＩＣカード１との間で、電子バリューが属するサービスの種類に関わらす、電子バリューを柔軟に移動させることができる。
【０１２０】
これにより、電子財布装置１０は、同種又は異種のサービスに対応する複数の非接触ＩＣカード１に対して、柔軟に対応可能となり、複数のサービスで使用される電子バリューを一括管理できる。よって、同種又は異種の非接触ＩＣカード１の使用時に柔軟に対処でき、複数の非接触ＩＣカード１を所有するユーザの利便性が向上する。
【０１２１】
例えば、電子マネーにより商品等の料金を支払うときに、複数枚の電子マネーカード全体でのバリュー（残額）は足りていても、単独の電子マネーカードではバリューが足りないため、電子マネーを使用できないといった問題を解決できる。また、ユーザは、複数の電子マネーサービスについて、それぞれの電子マネーカードのバリューを管理する必要がないので、手軽に使用できる。このため、電子マネーカードをはじめとする非接触ＩＣカード１の普及を促進できる。
【０１２２】
さらに、本実施形態によれば、ユーザは、電子財布装置１０に複数枚の非接触ＩＣカード１を収納して、まとめて携帯することができる。また、非接触ＩＣカード１の使用時には、ユーザは、ホスト装置２０のリーダライタ２１に電子財布装置１０をかざすだけよく、電子財布装置１０は、リーダライタ２１との通信に適した非接触ＩＣカード１を自動的に選択して、当該非接触ＩＣカード１とリーダライタ２１とを通信させることができる。この際、上記選択された非接触ＩＣカード１のみが、他の非接触ＩＣカード１と相互干渉することなく、リーダライタ２１と好適に通信できる。
【０１２３】
さらに、電子財布装置１０が適切な非接触ＩＣカード１を１枚だけ選択してリーダライタ２１と通信させることで、各非接触ＩＣカード１やリーダライタ２１がアンチコリジョンに対応しているか否かに関わらず、両者間で適切に通信を実行できる。このため、アンチコリジョン非対応のカードであっても複数枚を同時に携帯して使用できる。
【０１２４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２５】
例えば、上記実施形態にかかる電子財布装置１０は単体で構成されたが、本発明はかかる例に限定されない。例えば、電子財布装置は、携帯電話、ＰＤＡ（Ｐｅｒｓｏｎａｌ  Ｄｉｇｉｔａｌ  Ａｓｓｉｓｔａｎｔ）、電子手帳、携帯型映像／音声プレーヤなどの携帯端末と一体化されてもよい。
【０１２６】
また、上記実施形態にかかる電子財布装置１０は、３枚の非接触ＩＣカード１Ａ〜Ｃを同一方向から平行に挿入する収納構造であった。しかし、電子財布装置が収納可能な非接触ＩＣカードの枚数や、収納方向、収納されたカード配置などは、上記実施形態の例に限定されない。
【０１２７】
また、上記実施形態では、複数の電子マネーカードを収納した電子財布装置１０を用いて、ホスト装置２０から要求された額の電子マネーを支払う例について主に説明したが、本発明はかかる例に限定されない。例えば、複数の交通機関カードを収納した電子財布装置１０を用いて、自動改札機に対して乗車運賃を支払う場合や、複数のポイント／クーポンカードを収納した電子財布装置１０を用いて、ホスト装置２０との間でポイント／クーポン等に関する電子バリューをやり取りする場合などにも適用できる。
【図面の簡単な説明】
【０１２８】
【図１】本発明の第１の実施形態にかかる電子財布装置の外観構成を示す斜視図である。
【図２】同実施形態にかかる電子財布装置の使用状態を示す説明図である。
【図３】同実施形態にかかるＩＣカードシステムにおけるホスト装置のリーダライタと非接触ＩＣカードの構成例を示すブロック図である。
【図４】同実施形態にかかる電子財布装置の概略的な構成を示すブロック図である。
【図５】同実施形態にかかる電子財布装置における電子バリューのチャージの概要を示す説明図である。
【図６】同実施形態にかかる電子財布装置における電子バリューの使用の概要を示す説明図である。
【図７】同実施形態にかかる電子財布装置における電子バリュー利用方法を示すフローチャートである。
【図８】同実施形態にかかる電子財布装置を用いた電子バリューの支払処理の一例を示すシーケンス図である。
【図９】同実施形態にかかる電子財布装置を用いた電子バリューの支払処理の別の例を示すシーケンス図である。
【図１０】同実施形態にかかる電子財布装置を用いた電子バリューの支払処理の別の例を示すシーケンス図である。
【符号の説明】
【０１２９】
１Ａ〜Ｃ    非接触ＩＣカード
１０    電子財布装置
２０    ホスト装置
２１    リーダライタ
１０１    筐体
１０２    収納部
１０２Ａ〜Ｃ    スロット
１０３    表示部
１０４    操作部
１０５Ａ〜Ｃ    カード通信用アンテナ
１０６    シールド
１０７    外部通信用アンテナ
１０８    バリュー記憶部
１０９    記憶部
１１０    制御部
１１１    通信部
１１２    カード情報登録部
１１３    カード選択部
１１４    取引可否判定部
１１５    バリュー移動部
１１６    取引処理部
１２０    カード情報データベース
【図１】
0005286714.tif 000002
【図２】
0005286714.tif 000003
【図３】
0005286714.tif 000004
【図４】
0005286714.tif 000005
【図５】
0005286714.tif 000006
【図６】
0005286714.tif 000007
【図７】
0005286714.tif 000008
【図８】
0005286714.tif 000009
【図９】
0005286714.tif 000010
【図１０】
0005286714.tif 000011